(57)【要約】【課題】絶縁キャップよりも汎用性に優れ、より安価な製造や作業性の向上を図ることができる、新規な電線接続部の保護構造、および電線接続部の保護用テープ部材を提供すること。【解決手段】複数の電線２６の絶縁被覆２８が剥がされた端末３０に露呈された芯線３２同士が接続された電線接続部の保護構造であって、電線接続部１０が一方の面が接着面１６とされたシート状の保護用テープ部材１２で覆われており、保護用テープ部材１２が、電線接続部１０の突出方向に延び出し突出方向の前方で折り返されて電線接続部１０を接着面１６間に挟んで電線接続部１０を覆っている保護部２２と、絶縁被覆２８の周方向に巻き付けられて、保護部２２の側縁部を覆うと共に絶縁被覆２８に接着面１６により接着固定されている固定部２４と、を備えているようにした。【選択図】図３
2017158308.tif 000002
【特許請求の範囲】
【請求項１】
複数の電線の絶縁被覆が剥がされた端末に露呈された芯線同士が接続された電線接続部の保護構造であって、
前記電線接続部が一方の面が接着面とされたシート状の保護用テープ部材で覆われており、前記保護用テープ部材が、前記電線接続部の突出方向に延び出し該突出方向の前方で折り返されて前記電線接続部を前記接着面間に挟んで前記電線接続部を覆っている保護部と、
前記絶縁被覆の周方向に巻き付けられて、前記保護部の側縁部を覆うと共に前記絶縁被覆に前記接着面により接着固定されている固定部と、を備えている
ことを特徴とする電線接続部の保護構造。
【請求項２】
前記保護用テープ部材の前記保護部が、前記電線接続部の径寸法よりも大きい幅寸法を有し、かつ前記電線接続部の前記絶縁被覆からの突出寸法の２倍以上の長さ寸法を有している請求項１に記載の電線接続部の保護構造。
【請求項３】
前記保護用テープ部材の前記固定部が、前記保護部の基端部側において、前記保護部の幅方向の両側に張り出して一対設けられている請求項１または２に記載の電線接続部の保護構造。
【請求項４】
前記保護用テープ部材の前記固定部が、前記保護部の基端部側において、前記保護部の幅方向の一方の側に張り出して前記保護部の幅寸法よりも大きい幅寸法で設けられている請求項１または２に記載の電線接続部の保護構造。
【請求項５】
前記保護用テープ部材が、前記固定部よりも前記絶縁被覆側に設けられて前記電線の周囲に巻き付けられて固着されている補助固定部をさらに備えている請求項１〜４の何れか１項に記載の電線接続部の保護構造。
【請求項６】
複数の電線の絶縁被覆が剥がされた端末に露呈された芯線同士が接続された電線接続部を覆って絶縁する電線接続部の保護用テープ部材であって、
一方の面が接着面とされたシート状の部材で形成されている一方、
前記電線接続部の突出方向に延び出し該突出方向の前方で折り返されて前記電線接続部を前記接着面間に挟んで前記電線接続部を覆うようになっている保護部と、
前記絶縁被覆の周方向に巻き付けられて、前記保護部の側縁部を覆うと共に前記絶縁被覆に前記接着面により接着固定されるようになっている固定部と、を備えている
ことを特徴とする電線接続部の保護用テープ部材。
【発明の詳細な説明】
【技術分野】
【０００１】
本発明は、複数の電線を接続した電線接続部を覆って絶縁する電線接続部の保護構造および電線接続部の保護用テープ部材に関するものである。
【背景技術】
【０００２】
従来、自動車の電装系に用いられる複数の電線の絶縁被覆が剥がされた端末に露呈された芯線同士が接続された電線接続部は、釣鐘状の絶縁キャップを電線接続部に被せることにより、確実に絶縁処理する方法が取られている。加えて絶縁キャップには固定片が設けられており、固定片を複数の電線の端末の絶縁被覆にテープ固定することにより、絶縁キャップの複数の電線に対する固定が容易かつ確実に行われるようになっている。このような絶縁キャップは、例えば、特開平９−２２４３２４号公報（特許文献１）等に記載されている。
【０００３】
ところで、最近では、自動車の高機能化や多機能化のために、より多種類の電装品が搭載されるようになってきている。これに伴い、複数の電線を接続した電線接続部もより複雑化すると共に一層の多様化が進み、使用される場所によって様々な大きさや形状のものが用いられるようになってきている。そのため、かかる多様な電線接続部毎に専用の絶縁キャップが準備されている。
【０００４】
しかしながら、このように電線接続部毎に専用の絶縁キャップを準備するやり方では、絶縁キャップ毎に設計や金型が必要となるため、製造コストが嵩むという問題があった。また、多種類の絶縁キャップを管理しなければならず、製品管理が煩雑で管理コストが増加するという問題もあった。
【０００５】
これに対して、ビニールテープ等で電線接続部をテープ巻により保護することも考えられるが、作業性が悪いことに加えて、ビニールテープをらせん状に巻回することにより、電線接続部の先端部側に開口が形成され巧く保護できないおそれがあり、有効な対策とは言い難かった。
【先行技術文献】
【特許文献】
【０００６】
【特許文献１】特開平９−２２４３２４号公報
【発明の概要】
【発明が解決しようとする課題】
【０００７】
本発明は上述の事情を背景に為されたものであって、その解決課題は、絶縁キャップよりも汎用性に優れ、より安価な製造や作業性の向上を図ることができる、新規な電線接続部の保護構造、および電線接続部の保護用テープ部材を提供することにある。
【課題を解決するための手段】
【０００８】
電線接続部の保護構造に関する本発明の第一の態様は、複数の電線の絶縁被覆が剥がされた端末に露呈された芯線同士が接続された電線接続部の保護構造であって、前記電線接続部が一方の面が接着面とされたシート状の保護用テープ部材で覆われており、前記保護用テープ部材が、前記電線接続部の突出方向に延び出し該突出方向の前方で折り返されて前記電線接続部を前記接着面間に挟んで前記電線接続部を覆っている保護部と、前記絶縁被覆の周方向に巻き付けられて、前記保護部の側縁部を覆うと共に前記絶縁被覆に前記接着面により接着固定されている固定部と、を備えていることを特徴とする。
【０００９】
本態様によれば、電線接続部が、一方の面が接着面とされた一枚のシート状の保護用テープ部材という簡単な構造の保護部材を用い、保護用テープ部材を電線接続部に巻き付けるという簡単な作業により、容易に電線接続部の保護構造を構築することができる。すなわち、保護用テープ部材は保護部と固定部を備えており、保護部が電線接続部の突出方向に延び出して前方で折り返されることにより、電線接続部を間に挟んだ上下両側から電線接続部を覆っている。これにより、電線接続部の先端部が外部に露呈することが完全に防止されている。しかも、保護用テープ部材の接着面間に電線接続部が挟まれていることから、電線接続部を保護部の間で安定して固定することができる。
【００１０】
さらに、固定部を絶縁被覆の周方向に巻き付けることにより、固定部の接着面を絶縁被覆に固着させて保護用テープ部材を電線に固定するだけでなく、袋状に折り返された保護部の側縁部を覆うことができる。これにより、折り返しただけでは開口のおそれがある保護部の側縁部を固定部で覆うことができ、電線接続部の側縁部の露呈も確実に防止することができる。したがって、電線接続部をテープ巻する場合に比して、優れた作業性と保護性を備えた保護構造を提供することができる。
【００１１】
加えて、保護用テープ部材はシート状であることから、電線接続部や絶縁被覆への巻き代を調整することにより、電線接続部や絶縁被覆における径寸法違いも柔軟に吸収することができ、従来の絶縁キャップに比して汎用性の向上も図ることができ、しかも安価に製造することが可能となる。
【００１２】
電線接続部の保護構造に関する本発明の第二の態様は、前記第一の態様に記載の電線接続部の保護構造において、前記保護用テープ部材の前記保護部が、前記電線接続部の径寸法よりも大きい幅寸法を有し、かつ前記電線接続部の前記絶縁被覆からの突出寸法の２倍以上の長さ寸法を有しているものである。
【００１３】
本態様によれば、保護部が電線接続部の径寸法よりも大きい幅寸法を有しかつ電線接続部の突出寸法の２倍以上の長さ寸法を有していることから、折り返された保護部の接着面間に電線接続部の全長を覆うことができ、より確実な保護構造が実現できる。
【００１４】
電線接続部の保護構造に関する本発明の第三の態様は、前記第一または第二の態様に記載の電線接続部の保護構造において、前記保護用テープ部材の前記固定部が、前記保護部の基端部側において、前記保護部の幅方向の両側に張り出して一対設けられているものである。
【００１５】
本態様によれば、折り返された保護部を中央に位置させて、その幅方向両側に張り出す一対の固定部を巻き付ければよいことから、より簡便かつ確実に折り返された保護部の両側縁部を固定部によって覆うことができ、一層安定した保護構造を構築することができる。
【００１６】
電線接続部の保護構造に関する本発明の第四の態様は、前記第一または第二の態様に記載の電線接続部の保護構造において、前記保護用テープ部材の前記固定部が、前記保護部の基端部側において、前記保護部の幅方向の一方の側に張り出して前記保護部の幅寸法よりも大きい幅寸法で設けられているものである。
【００１７】
本態様によれば、折り返された保護部の幅方向一方側に突出する固定部を簀巻き状に巻き付けることで、ワンハンドで折り返された保護部の両側縁部を固定部によって覆う作業を行うことができる。しかも、保護部の幅方向一方側のみに固定部が突出していることから、シート状の保護用テープ部材を歩留りよく製造することも可能となる。
【００１８】
電線接続部の保護構造に関する本発明の第五の態様は、前記第一乃至第四の何れか１つの態様に記載の電線接続部の保護構造において、前記保護用テープ部材が、前記固定部よりも前記絶縁被覆側に設けられて前記電線の周囲に巻き付けられて固着されている補助固定部をさらに備えているものである。
【００１９】
本態様によれば、固定部よりも電線側に補助固定部を有していることから、電線接続部の突出寸法が比較的大きい場合など、固定部の絶縁被覆への固着代を十分に確保できない場合などにも、安定して保護用テープ部材を絶縁被覆に固着することができ、一層安定した保護構造を高い汎用性をもって実現することができる。
【００２０】
電線接続部の保護用テープ部材に関する本発明の第一の態様は、複数の電線の絶縁被覆が剥がされた端末に露呈された芯線同士が接続された電線接続部を覆って絶縁する電線接続部の保護用テープ部材であって、一方の面が接着面とされたシート状の部材で形成されている一方、前記電線接続部の突出方向に延び出し該突出方向の前方で折り返されて前記電線接続部を前記接着面間に挟んで前記電線接続部を覆うようになっている保護部と、前記絶縁被覆の周方向に巻き付けられて、前記保護部の側縁部を覆うと共に前記絶縁被覆に前記接着面により接着固定されるようになっている固定部と、を備えていることを特徴とする。
【００２１】
本態様によれば、電線接続部の保護用テープ部材が、一方の面が接着面とされたシート状の部材で形成され、電線接続部の突出方向の前方で折り返されて電線接続部を接着面間で挟んで覆うようになっていることから、より確実に電線接続部の突出端部の被覆を行うことができる。
【００２２】
しかも、電線接続部の保護用テープ部材は固定部を備え、かかる固定部を絶縁被覆の周方向に巻き付けるだけで、折り返された保護部の側縁部を覆うと共に絶縁被覆に接着面で接着固定されて固定されるようになっている。これにより、折り返された保護部の側縁部を固定部で覆いつつ、保護用テープ部材を絶縁被覆に固定することができることから、より一層簡便かつ安定して電線接続部の保護を行うことができる。
【００２３】
また、保護用テープ部材は、シート状のものを電線接続部に巻き付ける形態であることから、従来の絶縁キャップの場合に比して、電線接続部や絶縁被覆における径寸法の相違等を吸収し易い。それゆえ、本態様の電線接続部の保護用テープ部材は、汎用性に優れ、安価な製造や作業性の向上を有利に図ることができるのである。
【発明の効果】
【００２４】
本発明によれば、一方の面が接着面とされた一枚のシート状である簡単な構造の保護用テープ部材を電線接続部に巻き付けるという簡単な作業により、容易に電線接続部の保護構造を構築できる。すなわち、保護用テープ部材は保護部と固定部を備えており、保護部によって電線接続部を間に挟んだ上下両側から電線接続部を覆うことにより、電線接続部の先端部が外部に露呈することが完全に防止されている。しかも、保護用テープ部材の接着面間に電線接続部が挟まれていることから、電線接続部を保護部の間で安定して固定できる。さらに、固定部を絶縁被覆の周方向に巻き付けることにより、保護部の側縁部を覆うことができることから、電線接続部の側縁部の露呈も確実に防止できる。それゆえ、電線接続部をテープ巻する場合に比して、優れた作業性と保護性を備えた保護構造を提供することができる。加えて、保護用テープ部材はシート状であることから、電線接続部や絶縁被覆への巻き代を調整することにより、電線接続部や絶縁被覆における径寸法違いも柔軟に吸収することができることから、従来の絶縁キャップに比して汎用性の向上も図ることができ、しかも安価に製造することが可能となる。
【図面の簡単な説明】
【００２５】
【図１】本発明の一実施形態としての電線接続部の保護構造に用いられる保護用テープ部材の平面図。
【図２】図１のＩＩ−ＩＩ断面図。
【図３】図１に示す保護用テープ部材を用いた電線接続部の保護構造を示す平面図（（ａ）保護用テープ部材上に電線接続部および絶縁被覆が載置された状態、（ｂ）保護用テープ部材の保護部により電線接続部および絶縁被覆が覆われた状態、（ｃ），（ｄ）保護用テープ部材の固定部により保護部が覆われかつ絶縁被覆に固定された状態）。
【図４】本実施形態に用いられる保護用テープ部材の別の態様を示す平面図。
【図５】図４に示す保護用テープ部材を用いた電線接続部の保護構造を示す平面図であって、図３に相当する図。
【図６】本実施形態に用いられる保護用テープ部材の他の態様を示す平面図。
【発明を実施するための形態】
【００２６】
以下、本発明の実施形態について、図面を参照しつつ説明する。
【００２７】
図１〜３には、本発明の一実施形態に従う電線接続部の保護構造を用いて、電線接続部１０が保護用テープ部材１２で覆われることにより保護される構造が示されている。なお、以下の説明において、上方とは、図２中の上方、下方とは、図２中の下方、また前方とは、図１〜３中の右方、後方とは、図１〜３中の左方を言うものとする。
【００２８】
先ず、図１〜２には、本実施形態としての電線接続部の保護構造に用いられる保護用テープ部材１２が、示されている。保護用テープ部材１２は、ＰＶＣ（ポリ塩化ビニル）などの合成樹脂材料などから形成されるシート状の基材１４上の一方の面である表面が接着面１６とされた構造を有しており、かかる接着面１６の全面に亘って、例えば合成ゴム系などの粘着剤が塗布されてなる粘着部１８が形成されている。さらに、保護用テープ部材１２の粘着部１８上には全面に亘って離型シート２０が貼付されている。ここで、基材１４と粘着部１８と離型シート２０は平面視で同形状とされている。なお、図２では、理解を容易にするために、保護用テープ部材１２を厚さ方向（図２中、上下方向）に拡大して記載している。また、離型シート２０は、使用前（図１〜２および後述する図４，６参照）には貼付されている一方、使用時（図３および後述する図５参照）には剥がされることから、図２において離型シート２０を仮想線で記載している。離型シート２０としては、例えば上質紙などの基材上にＰＥ（ポリエチレン）樹脂などからなる目止め層を介してシリコーン系などの剥離剤がコーティングされて形成されたものや、ＰＥＴ（ポリエチレンテレフタレート）樹脂などからなるシート状の基材上にシリコーン系などの剥離剤がコーティングされたものが用いられる。
【００２９】
保護用テープ部材１２は、図１に示されているように平面視で略凸の字形状を有しており、平面視で前後方向（図１中、左右方向）に向かって略矩形状で延びる保護部２２と、保護部２２の基端部側（図１中、左側）において、保護部２２の幅方向（図１中、上下方向）の両側に張り出して設けられた一対の略矩形状の固定部２４，２４と、を備えている。ここで、保護用テープ部材１２の保護部２２は、後述する図３に示されているように、幅寸法：Ｗ１が電線接続部１０の径寸法：Ｒよりも大きくなるように形成されていると共に、長さ寸法：Ｌ１が電線接続部１０の絶縁被覆２８からの突出寸法：Ｌ２の２倍以上になるように構成されている。なお、理解を容易とするために、図１では、保護部２２と固定部２４の境界を仮想線で記載している。
【００３０】
このような構成とされた保護用テープ部材１２を用いて、電線接続部１０を覆って絶縁する保護構造について、図３を用いて、説明する。先ず、複数（本実施形態では４本）の電線２６の絶縁被覆２８が剥がされて電線端末３０に露呈された芯線３２同士を超音波溶接等の公知の技術によって接続し、電線接続部１０を形成する。ここで、各電線２６は、導体である銅やアルミニウムその他の金属線の複数を束ね合わせた芯線３２が、エチレン系樹脂やスチレン系樹脂等の電気絶縁性を有する絶縁被覆２８で覆われた構造とされている。次に、図３（ａ）に示されているように、複数の電線２６の電線端末３０に形成された電線接続部１０および絶縁被覆２８を、離型シート２０を剥がした保護用テープ部材１２の保護部２２の基端部側における接着面１６上に載置する。そして、保護用テープ部材１２の保護部２２において、電線接続部１０の突出方向（図３中、右方）に延び出した突出方向の先端部側を折り返して保護部２２の基端部側に重ね合わせることにより、図３（ｂ）に示されているように、電線端末３０に形成された電線接続部１０および絶縁被覆２８を保護部２２の先端部側の接着面１６と基端部側に接着面１６の間に挟むと共に幅方向（図３中、上下方向）の全長に亘って覆うことができるようになっている。
【００３１】
続いて、保護部２２の接着面１６間に挟まれた電線接続部１０および絶縁被覆２８に対して、絶縁被覆２８の周方向に対して保護用テープ部材１２の一対の固定部２４，２４を順次巻き付けることにより、図３（ｃ）（ｄ）に示されているように、保護部２２の各側縁部が全長に亘って一対の固定部２４，２４によってそれぞれ覆われると共に絶縁被覆２８に対して固定部２４の接着面１６が接着固定されるようになっている。
【００３２】
このような本実施形態に従う電線接続部の保護構造によれば、一方の面が接着面１６とされた略凸の字状の一枚のシート状の簡単な構造の保護用テープ部材１２を用い、しかも保護用テープ部材１２を電線接続部１０に巻き付けるだけという簡単な作業によって、容易に電線接続部の保護構造を構築することができる。より詳細には、保護用テープ部材１２を、保護部２２と固定部２４を備えた構成とした。これにより、電線接続部１０の突出方向（図３中、右方）に延び出した保護部２２の先端部側を折り返して保護部２２の基端部側に重ね合わせることで、電線端末３０に形成された電線接続部１０および絶縁被覆２８を保護部２２の先端部側の接着面１６と基端部側に接着面１６の間に挟むと共に幅方向（図３中、上下方向）の全長に亘って覆うことができるようになっている。それゆえ、電線接続部１０の先端部が外部に露呈することが完全に防止されている。しかも、保護用テープ部材１２の接着面１６間に電線接続部１０が挟まれていることから、電線接続部１０を保護用テープ部材１２の保護部２２の間で安定して固定することができるようになっている。加えて、保護用テープ部材１２の保護部２２において、幅寸法：Ｗ１が電線接続部１０の径寸法：Ｒよりも大きくなるように形成されていると共に、長さ寸法：Ｌ１が電線接続部１０の絶縁被覆２８からの突出寸法：Ｌ２の２倍以上になるように構成されていることから、保護部２２の接着面１６間に電線接続部１０を全長に亘って覆うことができ、より確実な保護構造が実現できるようになっている。
【００３３】
また、保護部２２の接着面１６間に挟まれた電線接続部１０および絶縁被覆２８に対して、絶縁被覆２８の周方向に対して保護用テープ部材１２の固定部２４を巻き付けることで、保護部２２の各側縁部を全長に亘って覆うことができると共に絶縁被覆２８に対して固定部２４の接着面１６を接着固定することができる。これにより、折り返しただけでは開口のおそれがある保護部２２の側縁部を固定部２４で確実に覆うことができる。それゆえ、従来の如き電線接続部をテープ巻する場合に比して、優れた作業性と保護性を備えた電線接続部の保護構造を提供することができるのである。しかも、固定部２４が、保護部２２の幅方向の両側に張り出して一対設けられていることから、折り返された保護部２２に対してその幅方向両側に張り出す一対の固定部２４，２４を巻き付ければよいことから、より簡便かつ確実に折り返された保護部２２の両側縁部を固定部２４によって覆うことができ、一層安定した保護構造を構築することができる。加えて、保護用テープ部材１２はシート状であることから、電線接続部１０や絶縁被覆２８への巻き代を調整することにより、電線接続部１０や絶縁被覆２８における径寸法違いも柔軟に吸収することができ、従来の絶縁キャップに比して汎用性の向上も図ることができ、しかも安価に製造することができる。
【００３４】
次に、図４〜５を用いて、本発明の電線接続部の保護構造に用いられる別の態様の保護用テープ部材３４について詳述するが、上記実施形態と同様な構造とされた部材および部位については、図中に、上記実施形態と同一の符号を付することにより、それらの詳細な説明を省略する。かかる保護用テープ部材３４は、電線２６の周囲に巻き付けられて固着される補助固定部３６をさらに備えている点に関して、上記実施形態と異なる実施形態を示すものである。より詳細には、保護用テープ部材３４において、保護部３８が上記実施形態の保護部２２よりも絶縁被覆２８側（図４，５中、左側）に延び出すように形成されていると共に、保護部３８の延出先端部には幅方向（図４，５中、上下方向）の一方の側に向かって突設された補助固定部３６がさらに設けられている。これにより、電線接続部１０の突出寸法：Ｌ２が比較的大きい場合など、固定部４０の絶縁被覆２８への固着代を十分に確保できない場合などにも、安定して保護用テープ部材３４を絶縁被覆２８に固着することができ、一層安定した電線接続部の保護構造を高い汎用性をもって実現できる。また、本実施形態では、固定部４０は、保護部３８の長さ方向（図４，５中、左右方向）の中央部から幅方向（図４，５中、上下方向）の他方の側に向かって突設されている。すなわち、固定部４０と補助固定部３６がそれぞれ保護部３８を間に挟んで保護部３８の幅方向反対側に突出して設けられていることから、固定部４０と補助固定部３６をバランス良く電線２６の絶縁被覆２８に対して固着することができる。加えて、固定部４４は、上記実施形態の固定部２４と異なり保護部２２の幅方向の一方の側のみに張り出して設けられているが、固定部４４の幅寸法：Ｗ２が保護部３８の幅寸法：Ｗ１よりも大きくされていることから、上記実施形態の固定部２４と同様に、保護部３８の両側縁部を全長に亘って覆うことができると共に絶縁被覆２８に対して固定部４０の接着面１６を接着固定することができるようになっている。
【００３５】
本実施形態においても、一方の面が接着面１６とされた一枚のシート状の簡単な構造の保護用テープ部材３４を用い、しかも保護用テープ部材３４を電線接続部１０に巻き付けるだけという簡単な作業によって、容易に電線接続部の保護構造を構築することができるようになっている。すなわち、電線接続部１０の突出方向に延び出した保護部３８の先端部側を折り返して保護部３８の基端部側に重ね合わせることで、電線接続部１０および絶縁被覆２８を保護部２２の先端部側の接着面１６と基端部側に接着面１６の間に挟んで、電線接続部１０の先端部が外部に露呈することが完全に防止されている。しかも、保護部３８の接着面１６間に挟まれた電線接続部１０および絶縁被覆２８に対して、絶縁被覆２８の周方向に保護用テープ部材３４の固定部４０を巻き付けることで、折り返しただけでは開口のおそれがある保護部３８の両側縁部を固定部４０で確実に覆うことができる。それゆえ、従来の如き電線接続部をテープ巻する場合に比して、優れた作業性と保護性を備えた電線接続部の保護構造を提供することができる。しかも、保護用テープ部材３４はシート状であることから、電線接続部１０や絶縁被覆２８への巻き代を調整することにより、電線接続部１０や絶縁被覆２８における径寸法違いも柔軟に吸収することができ、従来の絶縁キャップに比して汎用性の向上も図ることができ、しかも安価に製造することができる。
【００３６】
以上、本発明の複数の実施形態について詳述したが、本発明はこれらの具体的な記載によって限定されない。例えば、上記実施形態の保護用テープ部材１２では、固定部２４は、保護部２２の幅方向の両側に張り出して一対設けられていたが、図６に示されている保護用テープ部材４２の他の態様のように、固定部４４が、保護部２２の基端側で一方の側に張り出して保護部２２の幅寸法：Ｗ１よりも大きい幅寸法：Ｗ２で設けられていてもよい。これにより、折り返された保護部２２の幅方向一方側に突出する固定部４４を簀巻き状に巻き付けることで、ワンハンドで折り返された保護部２２の両側縁部を固定部４４によって覆う作業を行うことができる。しかも、保護用テープ部材４２をシート材から効率よく取得することができることから、製造歩留りの向上を図ることができる。さらに、上記実施形態の保護用テープ部材３４でも、固定部４０と補助固定部３６の突出方向を同じとすることにより、同様に保護用テープ部材３４をシート材から効率よく取得することができることから、製造歩留りの向上を図ることができる。
【符号の説明】
【００３７】
１０：電線接続部、１２，３４，４２：保護用テープ部材、１６：接着面、２２，３８：保護部、２４，４０，４４：固定部、２６：電線、２８：絶縁被覆、３０：電線端末、３２：芯線、３６：補助固定部
【図１】
2017158308.tif 000003
【図２】
2017158308.tif 000004
【図３】
2017158308.tif 000005
【図４】
2017158308.tif 000006
【図５】
2017158308.tif 000007
【図６】
2017158308.tif 000008